(57)【要約】      （修正有）【課題】球通路での球詰まりを防止可能な遊技機を提供する。【解決手段】パチンコ機は、普通入賞口に入球した遊技球を案内する普通入賞球排出路１２３を形成する排出路形成部材１００に、普通入賞検出センサＳＥ１が取り付けられ、普通入賞口に入球して普通入賞球排出路１２３を通過する遊技球を普通入賞検出センサＳＥ１の検出部３３に通過させて検出し得るよう構成され、検出部３３が普通入賞球排出路１２３の合流通路部１２６に臨む状態で普通入賞検出センサＳＥ１を保持する合流センサ保持部が排出路形成部材１００に設けられている。そして、普通入賞球排出路１２３における合流センサ保持部の上流側に退避通路部１２７を設けて、該退避通路部１２７の通路幅が上流側より大きくなるよう構成した。【選択図】図６
2017000633.tif 000002
【特許請求の範囲】
【請求項１】
遊技球が入球可能な入球口と、前記入球口に入球した遊技球を案内する球通路を形成する通路形成部材と、前記通路形成部材に取り付けられた球検出センサとを備え、前記入球口に入球して前記球通路を通過する遊技球を前記球検出センサの検出部に通過させて検出し得るよう構成された遊技機において、
前記通路形成部材には、前記球通路に前記検出部が臨む状態で前記球検出センサを保持するセンサ保持部が設けられると共に、前記球通路における前記センサ保持部の上流側に退避通路部が設けられて、当該退避通路部より上流側における球通路の通路幅よりも当該退避通路部の通路幅が大きくなるよう構成された
ことを特徴とする遊技機。
【請求項２】
前記通路形成部材における前記退避通路部の下流端部に開口部が形成された請求項１記載の遊技機。
【請求項３】
前記通路形成部材には、第１の入球口に入球した遊技球を案内する第１の球通路と、第２の入球口に入球した遊技球を案内する第２の球通路とが、前記検出部より通路上流側で合流するよう設けられ、
前記第１の球通路および前記第２の球通路が合流する位置に前記退避通路部が設けられた請求項１または２記載の遊技機。
【請求項４】
前記通路形成部材には、前記検出部の配設位置に近づくにつれて通路外側に偏倚するよう傾斜すると共に前記退避通路部を画成する傾斜壁が設けられ、
前記退避通路部における前記傾斜壁と該傾斜壁に対向する壁との間の通路幅が前記球通路の通路幅に対して遊技球の直径以下の範囲で大きくなるよう設けられて、前記退避通路部において前記傾斜壁に当接する遊技球に対して前記球通路を通過する遊技球が接触するよう構成された請求項１〜３の何れか一項に記載の遊技機。
【発明の詳細な説明】
【技術分野】
【０００１】
本発明は、遊技球を用いて遊技を行う遊技機に関するものである。
【背景技術】
【０００２】
遊技機の代表例の一つとしてのパチンコ機には、固定枠に開閉自在に組み付けられた本体枠に、パチンコ球が流下可能な遊技領域が前面側に形成された遊技盤が着脱自在に配設されている。遊技領域には、パチンコ球が入賞可能な入賞口が形成されており、該入賞口にパチンコ球が入賞するか否かによって遊技者の興趣が高められる。ここで、入賞口に入賞したパチンコ球は、球排出通路を通って遊技盤の下方に排出されるようになっている。この球排出通路には、通過するパチンコ球を検出するための球検出センサが設けられている(例えば、特許文献１)。
【先行技術文献】
【特許文献】
【０００３】
【特許文献１】特開２００６−２７１６０９号公報
【発明の概要】
【発明が解決しようとする課題】
【０００４】
ここで、パチンコ機においては、球排出通路内でパチンコ球の動きが制限されて球詰まりが発生することがある。検出位置の通路上流側で球詰まりが発生すると、球検出センサによるパチンコ球の検出がされないことから、入賞口にパチンコ球が入賞したにも拘らず賞球の払い出しが行われない等の不具合が生じ得る。
【０００５】
そこで本発明は、従来の技術に内在する前記問題に鑑み、これらを好適に解決するべく提案されたものであって、球通路での球詰まりを防止可能な遊技機を提供することを目的とする。
【課題を解決するための手段】
【０００６】
前記課題を克服し、所期の目的を達成するため、本願請求項１に係る遊技機は、
遊技球が入球可能な入球口(72a,72b)と、前記入球口(72a,72b)に入球した遊技球を案内する球通路(123)を形成する通路形成部材(100)と、前記通路形成部材(100)に取り付けられた球検出センサ(SE1)とを備え、前記入球口(72a,72b)に入球して前記球通路(123)を通過する遊技球を前記球検出センサ(SE3)の検出部(33)に通過させて検出し得るよう構成された遊技機において、
前記通路形成部材(100)には、前記球通路(123)に前記検出部(33)が臨む状態で前記球検出センサ(SE1)を保持するセンサ保持部(141)が設けられると共に、前記球通路(123)における前記センサ保持部(141)の上流側に退避通路部(127)が設けられて、当該退避通路部(127)より上流側における球通路(124,125)の通路幅よりも当該退避通路部(127)の通路幅(L1)が大きくなるよう構成されたことを要旨とする。
請求項１に係る発明によれば、球通路におけるセンサ保持部の上流側に退避通路部を設けることで、検出部の配設位置の通路上流側において遊技球の通路幅方向の動きの自由度が高まるため、球通路での遊技球の球詰まりを防止することができる。
【０００７】
請求項２に係る発明は、前記通路形成部材(100)における前記退避通路部(127)の下流端部に開口部(129)が形成されたことを要旨とする。
請求項２に係る発明によれば、退避通路部の下流端部に開口部を形成することにより、開口部から操作具を挿し込んで検出部の配設位置や退避通路部にある異物を取り除いたり球詰まりを解消する作業を行ったりすることができる。
【０００８】
請求項３に係る発明は、前記通路形成部材(100)には、第１の入球口(72a)に入球した遊技球を案内する第１の球通路(124)と、第２の入球口(72b)に入球した遊技球を案内する第２の球通路(125)とが、前記検出部(33)より通路上流側で合流するよう設けられ、
前記第１の球通路(124)および前記第２の球通路(125)が合流する位置に前記退避通路部(127)が設けられたことを要旨とする。
請求項３に係る発明によれば、球詰まりが発生し易い球通路の合流部に退避通路部を設けることで、球通路で球詰まりが生じるのを効果的に防止することができる。
【０００９】
請求項４に係る発明は、前記通路形成部材(100)には、前記検出部(33)の配設位置に近づくにつれて通路外側に偏倚するよう傾斜すると共に前記退避通路部(127)を画成する傾斜壁(128)が設けられ、
前記退避通路部(127)における前記傾斜壁(128)と該傾斜壁(128)に対向する壁との間の通路幅(L1)が前記球通路(124,125)の通路幅に対して遊技球の直径以下の範囲で大きくなるよう設けられて、前記退避通路部(127)において前記傾斜壁(128)に当接する遊技球に対して前記球通路(124,125)を通過する遊技球が接触するよう構成されたことを要旨とする。
請求項４に係る発明によれば、退避通路部を傾斜壁で画成することにより、退避通路部において傾斜壁に当接した遊技球を前記検出部の配設位置に向かい易くすることができると共に、傾斜壁により遊技球が球通路の上流側へ移動するのを防ぐことができる。また、退避通路部において傾斜壁に当接する遊技球に対して球通路を通過する遊技球が接触することで退避通路部での球詰まりを解消し得る。
【発明の効果】
【００１０】
本発明に係る遊技機によれば、球通路での球詰まりを防止することができる。
【図面の簡単な説明】
【００１１】
【図１】本発明の好適な実施例に係るパチンコ機を、外枠に対して前枠を開放した状態で示す斜視図である。
【図２】実施例に係る遊技盤の斜視図である。
【図３】実施例に係る遊技盤を複合入賞ユニットの前後方向中央位置で切断して前側から視た状態を示している。
【図４】実施例に係る設置部材に対する排出路形成部材の分解斜視図である。
【図５】実施例に係る排出路形成部材であり、(ａ)は正面図を示し、(ｂ)は前側部材を取り外した状態の斜視図を示している。
【図６】実施例に係る排出路形成部材であり、(ａ)は(ｂ)のＣ−Ｃ線で排出路形成部材を切断した状態を示し、(ｂ)は(ａ)のＢ−Ｂ線断面図を示している。
【図７】実施例に係る排出路形成部材であり、(ａ)は背面側から視た斜視図を示し、(ｂ)は図６のＡ−Ａ線位置での断面図を示している。
【図８】変更例に係る排出路形成部材であり、(ａ)は図６のＣ−Ｃ線に対応する位置での横断面図、(ｂ)は図６のＡ−Ａ線に対応する位置での縦断面図である。
【発明を実施するための形態】
【００１２】
次に、本発明に係る遊技機につき、好適な実施例を挙げて、添付図面を参照して以下に説明する。なお、実施例では、遊技球としてパチンコ球を用いて遊技を行うパチンコ機１０を例に挙げて説明する。また、以下の説明において、「前」、「後」、「左」、「右」とは、特に断りのない限りパチンコ機１０を前側(遊技者側)から見た状態で指称する。
【実施例】
【００１３】
(パチンコ機１０について)
実施例に係るパチンコ機１０は、図１に示すように、前後に開口する矩形枠状に形成されて遊技店の図示しない設置枠台に縦置き姿勢で設置される固定枠としての外枠１１の開口前面側に、パチンコ球が流下可能な遊技領域２２が前面側に形成された遊技盤(遊技領域形成部材)２０を着脱可能に保持する本体枠としての中枠１２が開閉および着脱可能に組み付けられて、該遊技盤２０に、所定の特図当り判定条件(当り判定条件)の成立を契機として(後述する始動入賞口５１ａ,５２ａへのパチンコ球の入球(入賞)を契機として)、演出用の図柄(以下演出図柄という)を変動表示させて図柄組合せ演出を行う演出表示手段としての図柄表示装置１７が着脱可能に配設されている(図２参照)。また、前記中枠１２の前面側には、前記遊技盤２０の遊技領域２２と対応する位置に前後に開口する窓口１３ａが形成された装飾枠としての前枠１３が開閉可能に組み付けられている。そして、前枠１３には、ガラス板や透明な合成樹脂材で形成された透視保護部材が窓口１３ａを覆うよう配設されており、遊技盤２０を前側から透視可能な状態で保護している。なお、図１では、透視保護部材を省略してある。また、前記前枠１３における窓口１３ａの下方位置には、パチンコ球を貯留可能な球受け皿１４が設けられており、当該前枠１３と一体的に球受け皿１４を開閉し得るようになっている。実施例の前枠１３には、上下の位置関係で２つの球受け皿１４が組み付けられており、図１に上側の球受け皿１４のみを図示してある。なお、前記上下の球受け皿１４の一方および両方を、前枠１３とは個別に中枠１２に組み付けるようにしてもよい。また、中枠１２や前枠１３に、１つの球受け皿１４のみを備える構成とすることもできる。
【００１４】
実施例のパチンコ機１０の前面右下部(実施例では前枠１３の前面右下部)には、図１に示すように、前記中枠１２に配設された球発射装置１８を作動させる操作ハンドル１６が設けられる。この操作ハンドル１６は、左回転方向に付勢された操作レバー１６ａを備えており、該操作レバー１６ａを右回転するよう遊技者が回動操作することで球発射装置１８が作動されて、前記上側の球受け皿１４に貯留されたパチンコ球が前記遊技盤２０に向けて発射されるようになっている。ここで、操作レバー１６ａの回動量に応じて球発射装置１８によるパチンコ球の打球力が強弱変化するよう構成されており、遊技者が操作レバー１６ａの回動量を調節することで、前記遊技領域２２へのパチンコ球の打ち出し位置を任意に変更し得るようになっている。すなわち、遊技者が操作レバー１６ａを操作して回動量を調節することで、前記遊技盤２０に形成された第１の流下領域２２ａ(後述)にパチンコ球を流下させる所謂「左打ち遊技」と称される遊技形態、該遊技盤２０に形成された第２の流下領域２２ｂ(後述)にパチンコ球を流下させる所謂「右打ち遊技」と称される遊技形態とに切り替えて遊技を行い得るようになっている。
【００１５】
(遊技盤２０について)
前記遊技盤２０は、合成樹脂材やベニヤ材等から所定板厚の略矩形状に形成されており、図２に示すように、略円形状の案内レール２３が前面(盤面)に配設されて前記遊技領域２２が前面側に画成されている。なお、遊技盤２０には、案内レール２３として、遊技盤２０の右下部から左上部にかけて円弧状に延在して遊技領域２２の左下側を画成する第１レール部２３ａと、遊技盤２０の左下部から右上部にかけて円弧状に延在して遊技領域２２の上部を画成する第２レール部２３ｂと、第１レール部２３ａの右下端部および第２レール部２３ｂの右上端部の間に位置して遊技領域２２の右部を画成する第３レール部２３ｃとが設けられており、遊技盤２０の前面における遊技領域２２の左側には、第２レール部２３ｂが第１レール部２３ａの外側に離間して位置することで、当該第１レール部２３ａおよび第２レール部２３ｂの間に、パチンコ球が通過可能な発射通路２５が画成されている。そして、前記球発射装置１８から発射されたパチンコ球が発射通路２５の下方開口から飛翔して、発射通路２５の上端に位置する発射口２５ａから遊技領域２２内に打ち出されるようになっている。また、遊技盤２０の後面には、各種部材が収容される収容空間８２を当該遊技盤２０との間に画成する設置部材(収容空間画成部材)８０が配設されている。なお、実施例の遊技盤２０は、ベニヤ材から形成された不透明な板状部材であって、前記収容空間８２を遊技盤２０の前面側から透視し得ないようになっている。
【００１６】
前記遊技盤２０の前面には、前記遊技領域２２内の適宜位置に各種の遊技盤設置部品が配設されている。実施例では、遊技盤設置部品として、前記図柄表示装置１７の外側を囲む枠状装飾部材２８や、始動入賞口(入球口)５１ａ,５２ａが設けられた始動入賞ユニット(入賞装置、入球手段)５０や、特別入賞口(入球口)７１ａおよび普通入賞口(入球口)７２ａ,７２ｂが設けられた複合入賞ユニット(入賞装置、入球手段)７０や、ゲート口(入球口)２７ａが設けられたゲート部材２７等が遊技盤２０に配設されている。また、遊技盤２０には、パチンコ球を遊技領域２２の外部に排出するアウト口２４が遊技領域２２の最下部に開設されている。なお、実施例では、遊技領域２２の最下部に設けられたアウト口２４とは別に、パチンコ球を遊技領域２２の外部に排出する第２アウト口７４ａが複合入賞ユニット７０に設けられている(図２参照)。この第２アウト口７４ａに入球して遊技領域２２の外部に導かれたパチンコ球は、遊技盤２０の後面側に配設された後述する排出路形成部材１００を通じて遊技盤２０の下方(設置部材８０の下方)に排出される。なお、実施例において、「入賞ユニット」とは、複数の部材から構成されると共にパチンコ球が入球可能な入球口が形成されて、１つのユニットとして遊技盤２０に配設されるものを単に指すものであって、複数の入球口(または、後述する入球部)が設けられることを条件とするものではない。ここで、「入球」とは、遊技領域２２に開口する入球口(入口)にパチンコ球が入ることであって、実施例においては、入球口としての入賞口５１ａ,５２ａ,７１ａ,７２ａ,７２ｂや、ゲート口２７ａや、アウト口２４,７４にパチンコ球が入ることを「入球」と指称することがある。また、「入賞」とは、入球口のうちパチンコ球の入球によって賞球が払い出されることとなる特定の入球口(入賞口)にパチンコ球が入ることであって、実施例においては、入球口としての入賞口５１ａ,５２ａ,７１ａ,７２ａ,７２ｂにパチンコ球が入ることを「入賞」と指称することがある。
【００１７】
(枠状装飾部材２８について)
次に、前記枠状装飾部材２８について詳細に説明する。前記枠状装飾部材２８は、図２に示すように、前記遊技盤２０の前面より前方に突出して前記遊技領域２２側と前記図柄表示装置１７側とを区切る庇状部２８ａを備える。そして、枠状装飾部材２８が遊技盤２０に取り付けられた状態で、該枠状装飾部材２８の外側、具体的には庇状部２８ａと案内レール２３との間にパチンコ球が流下する流下領域２２ａ,２２ｂが画成されるようになっている。すなわち、遊技領域２２は、枠状装飾部材２８の左側に形成された第１の流下領域２２ａと、当該枠状装飾部材２８の右側に形成された第２の流下領域２２ｂとに区画されており、操作ハンドル１６の操作レバー１６ａを回動操作して打球力を調節することにより、パチンコ球を第１の流下領域２２ａに流下させる遊技形態(左打ち)およびパチンコ球を第２の流下領域２２ｂに流下させる遊技形態(右打ち)の何れかを遊技者が任意に選択し得るように構成されている。第１および第２の流下領域２２ａ,２２ｂには、ゲート部材２７が夫々配設されており、各流下領域２２ａ,２２ｂを流下するパチンコ球がゲート部材２７のゲート口２７ａを通過し得るようになっている。そして、遊技領域２２は、前記枠状装飾部材２８の下方位置において第１および第２の流下領域２２ａ,２２ｂが合流するようになっており、当該第１および第２の流下領域２２ａ,２２ｂが合流する合流領域に前記始動入賞ユニット５０および前記アウト口２４が設けられている。すなわち、遊技領域２２は、枠状装飾部材２８の左側および右側を流下したパチンコ球が、合流領域の下端に位置するアウト口２４まで流下し得ると共に、合流領域におけるアウト口２４より上方で第１始動入賞口５１ａや第２始動入賞口５２ａに入球(入賞)し得るよう構成されている。また、遊技領域２２の左下部には複合入賞ユニット７０が配設されており、該複合入賞ユニット７０に設けられた特別入賞口７１ａや普通入賞口７２ａ,７２ｂに、第１の流下領域２２ａを流下したパチンコ球が入球し得るようになっている。
【００１８】
(ゲート部材２７について)
前記ゲート部材(入球部)２７は、図２に示すように、上下に貫通するようゲート口２７ａが形成されており、遊技領域２２(流下領域２２ａ,２２ｂ)を流下するパチンコ球がゲート部材２７の上方からゲート口２７ａに入球して該ゲート口２７ａを下方へ通過し得るようになっている。また、ゲート部材２７には、ゲート口２７ａを通過するパチンコ球を検出するゲートセンサ(図示せず)が設けられている。このゲートセンサは、図示しない制御基板に配線接続されており、該ゲートセンサから制御基板(具体的には、制御基板に設けられたＣＰＵ)への球検出信号の入力(すなわちパチンコ球の検出)に伴って普図当り判定条件が成立するようになっている。そして、前記制御基板(具体的には、ＣＰＵ)において、普図当り判定条件の成立に伴って、後述する特図当り判定条件が成立し易くなる状態(普図当り遊技)を生起させるか否かに関する普図当り判定が行われ、該普図当り判定の結果に応じて前記始動入賞ユニット５０に設けられた駆動手段としての始動入賞ソレノイド(図示せず)が駆動制御されて、開閉部材５２ｂが開閉動作するようになっている。すなわち、実施例のパチンコ機１０は、ゲートセンサによるパチンコ球の検出を契機として行われる普図当り判定の判定結果が当りの判定である場合に、前記始動入賞ユニット５０の第２始動入賞口５２ａを所定の開放条件で開放する普図当り遊技が行われて、当該第２始動入賞口５２ａへパチンコ球を入球させ得る機会が与えられるようになっている。
【００１９】
(始動入賞ユニット５０について)
前記始動入賞ユニット５０は、図２に示すように、前記枠状装飾部材２８の下方位置(アウト口２４の直上位置)に、前記第１始動入賞口５１ａが上方に常に開口するよう設けられており、前記第１の流下領域２２ａを流下するパチンコ球および前記第２の流下領域２２ｂを流下するパチンコ球が第１始動入賞口５１ａに入球し得るようになっている。すなわち、始動入賞ユニット５０には、パチンコ球が常に入球可能な第１始動入賞口５１ａを有する第１始動入賞部(入球部)５１が設けられている。また、始動入賞ユニット５０における第１始動入賞口５１ａの下側には、前記第２始動入賞口５２ａが前方へ向けて開口するよう設けられると共に、該第２始動入賞口５２ａを開閉する開閉部材５２ｂが配設されている。そして、開閉部材５２ｂが、前記始動入賞ソレノイドの駆動に伴って、第２始動入賞口５２ａを閉鎖する閉鎖位置と開放する開放位置とに変位するようになっており、開閉部材５２ｂが開放された状態でのみ第２始動入賞口５２ａにパチンコ球が入球し得るよう構成されている。すなわち、始動入賞ユニット５０には、パチンコ球の入球し易さ(入球の可否)が変化する第２始動入賞口５２ａを有する第２始動入賞部(入球部)５２が設けられている。始動入賞ユニット５０は、開閉部材５２ｂが開放位置にある状態において、前記第１の流下領域２２ａを流下するパチンコ球および前記第２の流下領域２２ｂを流下するパチンコ球が第２始動入賞口５２ａに入球し得るように構成されている。
【００２０】
また、前記始動入賞ユニット５０には、第１始動入賞口５１ａに入球したパチンコ球を検出する検出手段としての第１始動入賞検出センサ(図示せず)と、第２始動入賞口５２ａに入球したパチンコ球を検出する検出手段としての第２始動入賞検出センサ(図示せず)とが配設されている。第１始動入賞検出センサおよび第２始動入賞検出センサは、前記設置部材８０の裏面に配設された前記制御基板に配線接続されており、該第１および第２始動入賞検出センサから制御基板(具体的には、制御基板に設けられたＣＰＵ)への球検出信号の入力(すなわちパチンコ球の検出)に伴って特図当り判定条件が成立するようになっている。そして、制御基板(具体的には、ＣＰＵ)において、特図当り判定条件の成立に伴って、遊技者に有利な特別遊技(大当り遊技や小当り遊技)を生起させるか否かに関する特図当り判定が行われ、該特図当り判定の結果に応じて前記複合入賞ユニット７０に配設された特別入賞ソレノイド(図示せず)が駆動制御されて、複合入賞ユニット７０に配設されたシャッタ７１ｂが開閉動作するようになっている。また、制御基板(具体的には、ＣＰＵ)は、第１および第２始動入賞検出センサから制御基板への球検出信号の入力に伴って、規定数の賞球の払い出しを決定するようになっている。
【００２１】
前記始動入賞ユニット５０は、図２に示すように、前記遊技盤２０の前面に取着される始動台板５３と、始動台板５３の前面に配設されて第１始動入賞口５１ａを形成する受け部材５４とを備え、始動台板５３の後面には、内部に始動入賞ソレノイドや第１および第２始動入賞検出センサが収容された始動本体部(図示せず)が配設されている。なお、第２始動入賞口５２ａは、受け部材５４の配設位置の下側で始動台板５３を前後に貫通するよう形成されている。
【００２２】
(複合入賞ユニット７０について)
前記複合入賞ユニット７０は、図２に示すように、前記枠状装飾部材２８の左下方位置(始動入賞ユニット５０の左方位置)に、前記第１の流下領域２２ａを流下するパチンコ球が入球可能な特別入賞口７１ａ、普通入賞口７２ａ,７２ｂおよび第２アウト口７４ａが設けられている。複合入賞ユニット７０には、上方に開口する特別入賞口７１ａを開閉するシャッタ７１ｂが設けられており、該シャッタ７１ｂは、駆動手段としての図示しない特別入賞ソレノイドの駆動に伴って、特別入賞口７１ａを閉鎖する閉鎖位置と開放する開放位置とに変位するようになっている。また、複合入賞ユニット７０には、普通入賞口７２ａ,７２ｂが上方へ向けて常に開口するよう形成された普通入賞部７２が設けられている。すなわち、始動入賞ユニット５０には、パチンコ球の入球し易さ(入球の可否)を変化させることが可能な特別入賞口７１ａを有する特別入賞部(入球部)７１と、パチンコ球が常に入球可能な普通入賞口７２ａ,７２ｂを有する普通入賞部(入球部)７２とが設けられている。また、前記複合入賞ユニット７０には、特別入賞口７１ａに入球したパチンコ球を検出する検出手段としての図示しない特別入賞検出センサが配設されている。特別入賞検出センサは、前記設置部材８０の裏面に配設された前記制御基板に配線接続されており、該特別入賞検出センサから制御基板(具体的には、制御基板に設けられたＣＰＵ)への球検出信号の入力(すなわちパチンコ球の検出)に伴って、制御基板(具体的には、ＣＰＵ)が規定数の賞球の払い出しを決定するようになっている。なお、前記設置部材８０には、後述する排出路形成部材１００が配設されると共に、当該排出路形成部材１００に、普通入賞口７２ａ,７２ｂに入球したパチンコ球を検出する検出手段としての普通入賞検出センサＳＥ１が配設されている。この普通入賞検出センサＳＥ１もまた前記制御基板に配線接続されており、該普通入賞検出センサＳＥ１から制御基板(具体的には、制御基板に設けられたＣＰＵ)への球検出信号の入力(すなわちパチンコ球の検出)に伴って、制御基板(具体的には、ＣＰＵ)が規定数の賞球の払い出しを決定するようになっている。
【００２３】
前記複合入賞ユニット７０は、図２および図３に示すように、前記遊技盤２０の前面に取着される複合台板７３と、複合台板７３の前面に配設されて特別入賞口７１ａを有するサイド飾り構成体７４と、複合台板７３の後面に配設されて内部に前記特別入賞ソレノイドや前記特別入賞検出スイッチが収容された複合本体部(図示せず)とを備えている。また、複合台板７３には、複数の普通入賞口７２ａ,７２ｂを有する普通入賞部７２が遊技盤２０の前面より前方に突出するよう設けられている。複合台板７３は、平板状に形成されると共に、固定ネジを前後に挿通可能な固定孔Ｎａが外周縁部の複数箇所に開設されている。そして、複合台板７３の固定孔Ｎａに前側から挿通させた固定ネジを遊技盤２０の前面に螺挿して固定することで、複合入賞ユニット７０が遊技領域２２の左下部において前記案内レール２３に近接するように遊技盤２０の前面に配設される。
【００２４】
(複合入賞ユニット７０のサイド飾り構成体７４について)
前記サイド飾り構成体７４は、図２および図３に示すように、右側面が鉛直に延在すると共に、左側面が案内レール２３に沿う曲面状に形成され、遊技盤２０の前面より前方に突出すると共に、上部から下部に近づくにつれて左右寸法が次第に狭まる逆三角形の箱形とされている。そして、サイド飾り構成体７４は、左側面がパチンコ球の直径以下の間隔で案内レール２３と近接するよう設けられ、案内レール２３とサイド飾り構成体７４との間にパチンコ球が流入しないようになっている。なお、サイド飾り構成体７４の左上隅部には、上方に開口するよう前記第２アウト口７４ａが形成されており、案内レール２３に沿ってサイド飾り構成体７４の左上隅部に導かれたパチンコ球は、第２アウト口７４ａからサイド飾り構成体７４の内部に形成されたアウト球誘導樋７８(図３参照)を通じて遊技領域２２の外部に排出されるようになっている。このサイド飾り構成体７４の上面は、第２アウト口７４ａの開口右縁に隣接する左端部から右端部に向けて下方傾斜する傾斜面状に設けられており、前記第１の流下領域２２ａを流下して当該サイド飾り構成体７４の上面に到達したパチンコ球を前記普通入賞部７２および前記始動入賞ユニット５０側に誘導するようになっている。
【００２５】
また、前記複合入賞ユニット７０には、前記サイド飾り構成体７４と複合台板７３とで上方に開口する特別入賞口７１ａが画成され、特別入賞口７１ａの下方に連通する特別入賞路７７がサイド飾り構成体７４の上部内側に画成されている(図３参照)。そして、サイド飾り構成体７４の上端部に前記シャッタ７１ｂが前後にスライド移動して特別入賞口７１ａを開閉し得るよう配設されて、該シャッタ７１ｂ、特別入賞口７１ａおよび特別入賞路７７を有する特別入賞部７１が構成されている。シャッタ７１ｂは、常には遊技盤２０の前面より前方で特別入賞口７１ａを塞ぐ閉鎖位置に位置してサイド飾り構成体７４の上面の一部を形成すると共に、複合台板７３の後面側(複合本体部)に収容された前記特別入賞ソレノイドの駆動に伴って遊技盤２０の前面より後側の開放位置に退避することで、特別入賞口７１ａを開放し得るよう構成されている。なお、複合台板７３の後面側(複合本体部)には、特別入賞路７７を通過したパチンコ球を検出する特別入賞検出センサが配設されて、特別入賞部７１に設けられた特別入賞口７１ａを通過したパチンコ球が特別入賞検出センサにより検出されるようになっている。なお、特別入賞口７１ａおよび特別入賞路７７を通過したパチンコ球は、前記設置部材８０に配設された後述する排出路形成部材１００に導かれて、当該排出路形成部材１００を介して設置部材８０の下方(遊技盤２０の下方)に排出されるようになっている。
【００２６】
なお、前記サイド飾り構成体７４は、光透過性の合成樹脂により形成され、発光体を有する発光基板７５(図３参照)が下部内側に配設されている。そして、発光基板７５の発光体からの光を、当該サイド飾り構成体７４の透明な右側面を介して前記複合入賞ユニット７０や後述する普通入賞部７２に向けて照射し得るよう構成されている。
【００２７】
(複合入賞ユニット７０の普通入賞部７２について)
前記複合入賞ユニット７０は、前記サイド飾り構成体７４の上端部から上方に延出するよう前記複合台板７３の一部が設けられると共に、複合台板７３の他の部位がサイド飾り構成体７４の下部から右方に延出するよう設けられており、サイド飾り構成体７４の右側に延在する複合台板７３に、サイド飾り構成体７４との間にパチンコ球が通過可能な程度の間隔をあけて普通入賞部７２が設けられている。普通入賞部７２は、サイド飾り構成体７４の右方において複合台板７３の上縁部から前方に突出して上方および後方に開口する箱状に形成されている。この普通入賞部７２の内側は、左右中央部を前後に延在する区画壁部７６によって右受け通路７６ａおよび左受け通路７６ｂに区画されている。そして、右受け通路７６ａの上端部に、上方(右上方)へ向けて常に開口する第１普通入賞口(第１の入球口)７２ａが形成されると共に、左受け通路７６ｂの上端部に、上方へ向けて常に開口する第２普通入賞口(第２の入球口)７２ｂが形成されている。普通入賞部７２は、右受け通路７６ａおよび左受け通路７６ｂを形成する下壁部や区画壁部７６が複合台板７３の後方へ向けて延出するよう設けられている。すなわち、普通入賞部７２は、下壁部や区画壁部７６により右受け通路７６ａおよび左受け通路７６ｂが複合台板７３の後方に延出するように形成され、第１普通入賞口７２ａに入球(入賞)したパチンコ球が右受け通路７６ａによって遊技盤２０の後側(遊技領域２２の外部)に導かれると共に、第２普通入賞口７２ｂに入球(入賞)したパチンコ球が左受け通路７６ｂによって遊技盤２０の後側(遊技領域２２の外部)に導かれるよう構成されている。ここで、右受け通路７６ａおよび左受け通路７６ｂを通過したパチンコ球(すなわち、普通入賞口７２ａ,７２ｂに入球したパチンコ球)は、前記設置部材８０に配設された後述する排出路形成部材１００に導かれて、当該排出路形成部材１００に配設された普通入賞検出センサＳＥ１により検出された後に、設置部材８０の下方(遊技盤２０の下方)に排出されるようになっている。
【００２８】
(設置部材８０について)
前記設置部材８０は、図２および図４に示すように、前記遊技盤２０の外郭形状より僅かに小さな形状に形成されると共に、前方に開口した箱状に形成されて、開口前端部を遊技盤２０の裏面に当接させた状態で、当該遊技盤２０と設置部材８０とがネジにより固定される。そして、前記設置部材８０において前記遊技盤２０との間に画成される前記収容空間８２には、入球口７１ａ,７２ａ,７２ｂ,７４ａに入球したパチンコ球を設置部材８０の下方に排出する排出路形成部材１００が設置されている。なお、実施例では、前記図柄表示装置１７が遊技盤２０の前面より前側で回転動作を行うように構成されており、収容空間８２には、排出路形成部材１００の他、当該図柄表示装置１７を回転駆動する駆動機構(図示せず)や、該駆動機構の前面を覆う装飾パネル８３といった複数の部材が収容されている。ここで、遊技盤２０の中央部には、前記枠状装飾部材２８を前側から嵌め込んで固定するための装着口(図示せず)が前後に貫通するよう形成され、前記駆動機構の前側に支持された図柄表示装置１７が、当該装着口を介して遊技盤２０の前側に臨むように構成されている。また、装飾パネル８３は、遊技盤２０の前記装着口を後側から覆うように収容空間に配設されて、下端部の前面に固定される前記排出路形成部材１００が遊技盤２０における前記装着口より下方の部位により前側から被覆されるようになっている。なお、図４には、前記複合入賞ユニット７０に設けられた入球口(特別入賞口７１ａ、第１普通入賞口７２ａ、第２普通入賞口７２ｂおよび第２アウト口７４ａ)に入球したパチンコ球を排出するための排出路形成部材１００を図示し、他の入球口(例えば、第１始動入賞口５１ａや第２始動入賞口５２ａ)に入球したパチンコ球を排出するための部材については図示を省略してある。
【００２９】
(排出路形成部材１００について)
次に、排出路形成部材(通路形成部材)１００について説明する。図５、図６および図７に示すように、排出路形成部材１００は、前後に重ね合せて固定される前側部材１０１および後側部材１０２により構成されており、後側部材１０２に形成された挿通孔１０６に後側から挿通した固定ネジ(固定手段)を前側部材１０１に形成された螺挿部１０３に螺挿することで、前側部材１０１および後側部材１０２が前後に組み付けられる。そして、前側部材１０１および後側部材１０２を前後に組み合わせた際に、前記複合入賞ユニット７０に設けられた複数の入球口(特別入賞口７１ａ、第１普通入賞口７２ａ、第２普通入賞口７２ｂおよび第２アウト口７４ａ)に夫々対応する排出路１２１,１２２,１２３が前側部材１０１および後側部材１０２の間に画成されるようになっている。具体的に、前記排出路形成部材１００(前側部材１０１および後側部材１０２)は、第２アウト口７４ａに入球したパチンコ球を遊技盤２０の下方(設置部材８０の下方)に排出するためのアウト球排出路１２１と、特別入賞口７１ａに入球したパチンコ球を遊技盤２０の下方(設置部材８０の下方)に排出するための特別入賞球排出路１２２と、第１普通入賞口７２ａに入球したパチンコ球および第２普通入賞口７２ｂに入球したパチンコ球を遊技盤２０の下方(設置部材８０の下方)に排出するための普通入賞球排出路１２３とを画成するように構成されている。
【００３０】
ここで、前記前側部材１０１は、遊技盤２０の前面と平行に延在する平板状の前支持板部１０４と、後方に開口すると共に上下に延在する溝を形成するようコ字状に屈曲形成された複数の前画成部１０５とを備えている。また、後側部材１０２は、前側部材１０１の前支持板部１０４と対向する平板状の後支持板部１０７と、前方に開口すると共に上下に延在する溝を形成するようコ字状に屈曲形成された複数の後画成部１０８とを備えている。そして、排出路形成部材１００の左端部に設けられた前画成部１０５および後画成部１０８が、前記アウト球排出路１２１を画成し、排出路形成部材１００の中央やや左側に設けられた前画成部１０５および後画成部１０８が、前記特別入賞球排出路１２２を画成し、排出路形成部材１００の右端部に設けられた前画成部１０５および後画成部１０８が、前記普通入賞球排出路１２３を画成するようになっている。なお、排出路形成部材１００は、特別入賞球排出路１２２および普通入賞球排出路１２３の間(後述する合流通路部１２６の左側)において、前支持板部１０４および後支持板部１０７が前後に離間するよう設けられており、これら前支持板部１０４および後支持板部１０７の間に、前記普通入賞検出センサＳＥ１から引き出される配線の一部を収容する配線挿通路１４４(図５(ｂ)参照)が画成されている。なお、アウト球排出路１２１、特別入賞球排出路１２２および普通入賞球排出路１２３については後述する。
【００３１】
前記排出路形成部材１００には、前記装飾パネル８３の前面に固定される固定凹部１０９が、複数箇所(実施例では、排出路形成部材１００の中央部、左端部および右端部)に設けられている。固定凹部１０９は、後方を向く凹状に設けられており、装飾パネル８３から前方に突出する固定突部８３ａ(図４参照)の突出端部を後側から係合させ得るよう構成される。また、固定凹部１０９の内底面には、排出路形成部材１００を前後に貫通するネジ挿通口１１０の後端側が開口している。すなわち、排出路形成部材１００は、装飾パネル８３の固定突部８３ａを固定凹部１０９に後側から挿入して係合させた状態で、ネジ挿通口１１０に前側から固定ネジ(固定手段)を挿通させて固定突部８３ａに螺挿することにより、装飾パネル８３の下端部の前面側に固定されるようになっている。なお、排出路形成部材１００の中央部および左端部に設けられた固定凹部１０９は、前記後支持板部１０７を前後に貫通する開口の内周面と、前記前支持板部１０４の後面の一部との組み合わせにより構成されており、前支持板部１０４および後支持板部１０７を前後に重ね合せた状態で後方を向く凹状に形成されて、後支持板部１０７の開口の内周面で囲われる前支持板部１０４の後面にネジ挿通口１１０が開口している。なお、前側部材１０１の前支持板部１０４には、固定凹部１０９の形成部位を避けた位置に前記螺挿部１０３が設けられており、後側部材１０２の後支持板部１０７には、固定凹部１０９の形成部位を避けた位置に前記挿通孔１０６が設けられている。
【００３２】
(排出路形成部材１００のアウト球排出路１２１について)
図４および図７に示すように、前記アウト球排出路１２１は、前記前画成部１０５および前記後画成部１０８が開口側を互いに向き合わせて組み付けられることで画成されている。このアウト球排出路１２１は、上流部および下流部が基本的に上下方向に延在するよう設けられると共に、上流部および下流部の間の中流部が右側に傾斜するよう設けられており、アウト球排出路１２１を通過するパチンコ球が中流部を流下する過程で減勢されるようになっている。すなわち、アウト球排出路１２１の中流部を画成する壁が、当該アウト球排出路１２１を通過するパチンコ球を減勢するアウト球減勢部１２１ａの１つとして機能している。このアウト球排出路１２１の上流部には、前方に開口する入口部ｅ１が上端部に形成されて、該入口部ｅ１が前記アウト球誘導樋７８の出口と連通している。また、アウト球排出路１２１の下流部は、下端が通路方向に沿って下方(右下方)に開口しており、アウト球排出路１２１を通過したパチンコ球を前記設置部材８０の下方に排出するよう構成されている。アウト球排出路１２１の上流部は、入口部ｅ１が形成される部位の僅かに下側で前側に偏倚して再び鉛直下方に延在している。そして、アウト球排出路１２１における前側に偏倚する部分を画成する壁が、アウト球排出路１２１を流下するパチンコ球を減勢するアウト球減勢部１２１ａの１つとして機能している。また、アウト球排出路１２１の下流部には、左右の側壁から中央側へ向けて突出する突起が設けられており、当該突起が、アウト球排出路１２１を流下するパチンコ球を減勢するアウト球減勢部１２１ａの１つとして機能している。
【００３３】
(排出路形成部材１００の特別入賞球排出路１２２について)
図４および図７に示すように、前記特別入賞球排出路１２２は、前記前画成部１０５および前記後画成部１０８が開口側を互いに向き合わせて組み付けられることで画成されている。この特別入賞球排出路１２２は、上流部および下流部が基本的に上下方向に延在するよう設けられると共に、上流部および下流部の間の中流部が左側に偏倚した位置で上下に延在するよう設けられており、特別入賞球排出路１２２における上流部および中流部の連通部を画成する壁および中流部および下流部の連通部を画成する壁によりパチンコ球を減勢し得るよう構成されている。すなわち、特別入賞球排出路１２２における上流部および中流部の連通部と、中流部および下流部の連通部とが、当該特別入賞球排出路１２２を通過するパチンコ球を減勢する特別入賞球減勢部１２２ａとして機能している。この特別入賞球排出路１２２の上流部は、入口部ｅ２が通路方向に沿って上方に開口しており、当該入口部ｅ２により前記特別入賞路７７(図３参照)の出口と連通している。また、特別入賞球排出路１２２の下流部は、下端が通路方向に沿って下方に開口しており、特別入賞球排出路１２２を通過したパチンコ球を前記設置部材８０の下方に排出するよう構成されている。
【００３４】
ここで、前記前側部材１０１において前記特別入賞球排出路１２２の前側を画成する壁の前面には、図４および図５に示すように、前記複合入賞ユニット７０に設けられる図示しない位置決め突部と位置決めされる位置決め筒部１１１が形成されている。そして、収容空間８２に排出路形成部材１００を収容した状態の前記設置部材８０を遊技盤２０の後面に取り付ける際に、複合入賞ユニット７０に設けた位置決め突部の突出端部を位置決め筒部１１１の内側に嵌合させた状態で取り付けることで、排出路形成部材１００を複合入賞ユニット７０との適正な相対位置に配置し得るようになっている。特に、位置決め筒部１１１が特別入賞球排出路１２２を形成する壁に設けられることで、当該特別入賞球排出路１２２が複合入賞ユニット７０に対して直接的に位置決めされるようになり、前記特別入賞路７７と特別入賞球排出路１２２との連結部位での球詰まりを効果的に防止し得るようになっている。
【００３５】
(排出路形成部材１００の普通入賞球排出路１２３について)
図４および図７に示すように、前記普通入賞球排出路１２３は、前記前画成部１０５および前記後画成部１０８が開口側を互いに向き合わせて組み付けられることで画成されている。普通入賞球排出路１２３は、前記第１普通入賞口７２ａに入球して前記右受け通路７６ａを通過したパチンコ球が導かれる第１通路部(第１の球通路)１２４と、前記第２普通入賞口７２ｂに入球して前記左受け通路７６ｂを通過したパチンコ球が導かれる第２通路部(第２の球通路)１２５と、第１通路部１２４および第２通路部１２５の下端側に連通する合流通路部１２６とにより構成されている。普通入賞球排出路１２３は、合流通路部１２６の下端が通路方向に沿って下方(右下方)に開口しており、普通入賞球排出路１２３を通過したパチンコ球を前記設置部材８０の下方に排出するよう構成されている。なお、普通入賞球排出路１２３(第１通路部１２４、第２通路部１２５および合流通路部１２６)は、１個のパチンコ球が通過可能な通路幅で形成されている。
【００３６】
(普通入賞球排出路１２３の第１通路部１２４について)
図５および図６(ａ)に示すように、前記第１通路部１２４は、上下方向に延在するよう設けられており、上端部に前方に開口するよう入口部ｅ３が形成されて、該入口部ｅ３が右受け通路７６ａの出口と連通すると共に、下端部が下方に開放して合流通路部１２６(具体的には、後述する退避通路部１２７)に接続するように設けられている。第１通路部１２４の左側(第２通路部１２５側)を画成する壁には、右方(第１通路部１２４の通路内側)に向けて突出する突起が設けられており、当該突起が、第１通路部１２４を流下するパチンコ球を減勢する第１通路減勢部１２４ａとして機能している。すなわち、第１通路減勢部１２４ａは、下方に向かうにつれて通路内側に偏倚して第１通路部１２４の右側の壁に近接する傾斜面を形成しており、第１通路部１２４の左右方向の通路幅を次第に狭めている。また、第１通路減勢部１２４ａの下側には、当該第１通路減勢部１２４ａと略同じ突出寸法で第１通路部１２４の通路内側に突出する補助部１２４ｂが設けられている。そして、第１通路部１２４を通過するパチンコ球は、第１通路減勢部１２４ａに接触して減勢すると共に、第１通路部１２４の通路内で右側に案内される。また、第１通路減勢部１２４ａにより右側に案内されたパチンコ球の左側への移動を補助部１２４ｂが規制する。このため、第１通路部１２４を通過するパチンコ球は、第１通路減勢部１２４ａおよび補助部１２４ｂに接触して、第１通路部１２４の右側を画成する壁に沿って前記合流通路部１２６(具体的には、退避通路部１２７)に流下する。すなわち、当該第１通路部１２４を流下したパチンコ球が合流通路部１２６に流入する際に、前記第２通路部１２５と連通する左側面から離間する側に流入するよう構成することで、合流通路部１２６において球詰まりを生じさせることなくパチンコ球を速やかに普通入賞検出センサＳＥ１(後述する検出部３３)に通過させ得るようになっている。
【００３７】
(普通入賞球排出路１２３の第２通路部１２５について)
図５および図６(ａ)に示すように、前記第２通路部１２５は、上流部が上下方向に延在するよう設けられ、該上流部の上端部に前方に開口するよう入口部ｅ４が形成されて、該入口部ｅ４が左受け通路７６ｂの出口と連通している。また、第２通路部１２５の下流部は、右側に湾曲して合流通路部１２６(具体的には、後述する退避通路部１２７)に接続するように設けられている。第２通路部１２５の右側(第１通路部１２４側)を画成する壁には、左方(第２通路部１２５の通路内側)に向けて突出する突起が設けられており、当該突起が、第２通路部１２５を流下するパチンコ球を減勢する第２通路減勢部１２５ａとして機能している。すなわち、第２通路減勢部１２５ａは、下方に向かうにつれて通路内側に偏倚して第２通路部１２５の左側の壁に近接する傾斜面を形成しており、第２通路部１２５の左右方向の通路幅を次第に狭めている。第２通路部１２５を通過するパチンコ球は、第２通路減勢部１２５ａに接触して減勢すると共に、第２通路部１２５の左側に案内されて、当該第２通路部１２５の下流部を画成する湾曲状の壁に沿って前記合流通路部１２６に流下する。
【００３８】
ここで、前記第１通路部１２４および前記第２通路部１２５は、共通の壁により左右に画成されている。すなわち、前記排出路形成部材１００は、第１通路部１２４および第２通路部１２５を有する普通入賞球排出路１２３を左右方向の幅寸法が最小限となるよう設けられている。なお、前記第１通路減勢部１２４ａおよび前記第２通路減勢部１２５ａは、第１通路部１２４および第２通路部１２５を画成する前記共通の壁に設けられている。
【００３９】
(上流センサ保持部１３１について)
前記排出路形成部材１００には、前記第２通路部１２５の上流部に対応して、上流入賞検出センサＳＥ２(図５(ｂ)参照)を保持するための上流センサ保持部１３１が設けられる。前記上流入賞検出センサＳＥ２は、上下に開口する検出孔３４Ｈを通過するパチンコ球を検出する検出部３４が設置状態における右部に設けられると共に、設置状態における左端面から配線が引き出され、全体として矩形板状に構成されている。これに対し、上流センサ保持部１３１は、前側部材１０１と後側部材１０２とによって内面形状が前記上流入賞検出センサＳＥ２の外形に略整合する矩形箱状に形成されている。上流センサ保持部１３１は、前記上流入賞検出センサＳＥ２の検出部３４が前記第２通路部１２５の上流部に位置するよう左右に延在する矩形箱状に設けられている。この上流センサ保持部１３１は、図５(ａ)に示すように、上流入賞検出センサＳＥ２の左部(検出部３４を除く部位)の上面および下面に対向する第１保持壁１３２と、検出部３４の外縁部を覆う第２保持壁１３３と、検出部３４の後側から左方に延出して、上流入賞検出センサＳＥ２の左側面を係止する係止位置から係止解除する解除位置に弾性変形可能な弾性係止片１３４(図７(ａ)参照)とを備えている。ここで、第２通路部１２５の左側(特別入賞球排出路１２２の中流部と第２通路部１２５との間)には、上流センサ保持部１３１に対して上流入賞検出センサＳＥ２を着脱するためのセンサ着脱口１３６が、前側部材１０１および後側部材１０２を前後に貫通するよう形成されて、センサ着脱口１３６に後側から弾性係止片１３４が臨んでいる。また、センサ着脱口１３６は、左右寸法および上下寸法が上流入賞検出センサＳＥ２の左右寸法および上下寸法より大きく形成されている。これにより、上流センサ保持部１３１は、センサ着脱口１３６の前方から操作具等で弾性係止片１３４を後側に弾性変形させることで係合解除し、当該状態で上流入賞検出センサＳＥ２をセンサ着脱口１３６に向けて左方に移動させて前側に取り外すことができるようになっている。
【００４０】
前記上流センサ保持部１３１の第２保持壁１３３には、図５(ｂ)および図６(ａ)に示すように、前記上流入賞検出センサＳＥ２の右端部(検出部３４の右縁部)を保持する凹状の保持凹部１３５が設けられている。ここで、保持凹部１３５は、当該第２通路部１２５と前記第１通路部１２４とを画成する共通の壁に、第２通路部１２５の通路内側に向けて開口するよう設けられている。そして、第２通路部１２５に設けられた前記第２通路減勢部１２５ａ(突起)によって保持凹部１３５の上壁が構成されると共に、当該保持凹部１３５において上壁の下方に離間して設けられた下壁１３５ａが、第１通路部１２４に設けられた前記第１通路減勢部１２４ａ(突起)と左右に並ぶように設けられている。すなわち、上流センサ保持部１３１は、保持凹部１３５の形成部位を第１通路減勢部１２４ａおよび第２通路減勢部１２５ａにより補強することで、上流入賞検出センサＳＥ２を安定して保持し得るよう構成されている。
【００４１】
なお、実施例では、前記上流入賞検出センサＳＥ２が、パチンコ機１０の動作試験等に応じて上流センサ保持部１３１に一時的に配設され、必要な試験等の終了後に取り外されるようになっている。すなわち、当該パチンコ機１０は、上流センサ保持部１３１に上流入賞検出センサＳＥ２が保持されていない状態で遊技店に搬入される。ここで、第２通路部１２５には、前記保持凹部１３５が凹状に設けられることから、当該第２通路部１２５を通過するパチンコ球が保持凹部１３５に接触して当該パチンコ球の流れが乱れ、第２通路部１２５でパチンコ球が滞留することに繋がりかねない。そこで、実施例では、図５および図６(ａ)に示すように、保持凹部１３５の上壁を第２通路減勢部１２５ａとして傾斜状に設けると共に、保持凹部１３５の下壁１３５ａの通路内側への突出寸法を前記上壁(第２通路減勢部１２５ａ)よりも小さく形成して、第２通路部１２５を通過するパチンコ球の流れが保持凹部１３５との接触により乱れるのを防いでいる。
【００４２】
(普通入賞球排出路１２３の合流通路部１２６について)
前記合流通路部１２６は、前記第１通路部１２４の通路方向に沿って上下方向に延在するよう設けられている。なお、合流通路部１２６は、下流部(後述する合流センサ保持部１４１)に配設される前記普通入賞検出センサＳＥ１の検出部３３が上流側(第１通路部１２４側)に対して下側から臨むように構成されている。また、合流通路部１２６における第１通路部１２４および第２通路部１２５が合流する上流部は、第１通路部１２４および第２通路部１２５よりも前後方向の通路幅が拡大された退避通路部１２７(後述)とされている。
【００４３】
前記排出路形成部材１００には、前記合流通路部１２６の下流部に対応して、前記普通入賞検出センサＳＥ１を保持するための合流センサ保持部１４１が設けられる。普通入賞検出センサＳＥ１は、設置状態における右部に、上下に開口する検出孔３３Ｈを通過するパチンコ球を検出する検出部３３が設けられると共に、設置状態における左端面から配線が引き出され、全体として矩形板状に構成されている。これに対し、合流センサ保持部１４１は、前側部材１０１と後側部材１０２とによって内面形状が普通入賞検出センサＳＥ１の外形に略整合する矩形箱状に形成されている。合流センサ保持部１４１は、前記普通入賞検出センサＳＥ１の検出部３３が前記合流通路部１２６の下流部に位置するよう左右に延在する矩形箱状に設けられている。この合流センサ保持部１４１は、普通入賞検出センサＳＥ１の左部(検出部３３を除く部位)の略全体を覆う第３保持壁１４２と、検出部３３の外縁部を覆う第４保持壁１４３とにより構成されており、合流センサ保持部１４１に保持した普通入賞検出センサＳＥ１を取り外す場合に、前側部材１０１および後側部材１０２の固定を解除する(前記挿通孔１０６および前記螺挿部１０３の固定を解除する)必要が生じるように構成されている。なお、合流センサ保持部１４１には、検出部３３の後縁部３３ａ(図７(ｂ)参照)を上側から覆う壁が設けられておらず、当該検出部３３の後縁部３３ａが後述する傾斜壁１２８と対向するように構成されている。ここで、合流通路部１２６の左側(特別入賞球排出路１２２の下流部と合流通路部１２６との間)には、普通入賞検出センサＳＥ１から引き出される配線の一部を収容する配線挿通路１４４が前支持板部１０４および後支持板部１０７により画成されており(図６(ａ)および図７(ａ)参照)、当該配線挿通路１４４の後側を画成する後支持板部１０７には、前後に貫通する配線挿通口１４５が形成されている。これに対し、合流センサ保持部１４１は、普通入賞検出センサＳＥ１の左側面に対向する壁の前後方向中央部が左方に開口して配線挿通路１４４と連通するように構成されており、普通入賞検出センサＳＥ１の左端面から引き出した配線を配線挿通路１４４に通過させて配線挿通口１４５から排出路形成部材１００の後方に引き出し得るようになっている。
【００４４】
(合流通路部１２６の退避通路部１２７について)
図６(ａ)および図７(ｂ)に示すように、前記合流通路部１２６には、下流部に対応して設けられる前記合流センサ保持部１４１の上側に、前記第１通路部１２４や前記第２通路部１２５よりも前後方向の通路幅が拡大された退避通路部１２７が設けられている。退避通路部１２７は、前側および右側が第１通路部１２４(第２通路部１２５)に沿って画成される一方、第１通路部１２４(第２通路部１２５)よりも後側位置に設けられた壁(後述する傾斜壁１２８)により後側が画成されており、第１通路部１２４(第２通路部１２５)よりも後側に広く形成されている。これにより、退避通路部１２７に導かれたパチンコ球の通路幅方向への動きの自由度が高められ、退避通路部１２７での球詰まりを防止し得るようになっている。
【００４５】
前記退避通路部１２７の後側を画成する壁は、図７(ｂ)に示すように、下方に向かうにつれて後方(通路外側)に偏倚する傾斜壁１２８とされている。傾斜壁１２８は、第１通路部１２４の後側を画成する壁の真下に揃う上端部から下方に延出するよう設けられている。この傾斜壁１２８の上端部は、第１通路部１２４に設けられた前記補助部１２４ｂよりも下側(図６(ａ)に示す第１通路部１２４の下端の高さ位置Ｘより下側)に設けられており、傾斜壁１２８の全体が合流通路部１２６の後側を画成する壁として設けられている。傾斜壁１２８は、退避通路部１２７を画成する内面が斜め下方を向くよう構成されており、当該傾斜壁１２８に当接したパチンコ球を普通入賞検出センサＳＥ１の検出部３３(検出孔３３Ｈ)に向かい易くすることができると共に、傾斜壁１２８によってパチンコ球が上流側へ移動するのを防止し得るよう構成されている。具体的に、傾斜壁１２８は、検出部３３の外縁の上方に位置して内面が検出部３３(具体的には検出孔Ｈの開口内側)を向くように設けられている。このため、退避通路部１２７に流入したパチンコ球ＰＢが傾斜壁１２８に当たったときや、傾斜壁１２８に当たったパチンコ球ＰＢに対して第２通路部１２５から流下した他のパチンコ球が接触した際に、検出部３３(検出孔３３Ｈの開口内側)へ向けた反力が当該パチンコ球ＰＢに作用(図７(ｂ)に矢印Ｆで示している)して、当該パチンコ球ＰＢが検出部３３(検出孔３３Ｈ)に導かれ易くなる。すなわち、当接したパチンコ球ＰＢａに対して検出部３３(検出孔３３Ｈ)へ向けた反力が作用するよう傾斜壁１２８を傾斜に形成することで、退避通路部１２７での球詰まりの発生を防いでいる。
【００４６】
また、前記退避通路部１２７は、図７(ｂ)に示すように、傾斜壁１２８と、普通入賞検出センサＳＥ１における検出部３３の後縁部(開口縁)３３ａとが上下に対向するよう設けられており、検出部３３の後縁部３３ａと傾斜壁１２８とにパチンコ球ＰＢが当接した状態で、当該パチンコ球の重心(すなわち中心)Ｇが検出孔３３Ｈの開口縁より開口内側に位置するよう構成してある。すなわち、検出部３３の後縁部３３ａが形成する検出孔３３Ｈの開口縁から傾斜壁１２８までの前後寸法が、パチンコ球の半径以下の範囲となるよう設定されている。このため、パチンコ球ＰＢに作用する重力が検出孔３３Ｈの内側に向くこととなり、パチンコ球が検出部３３の後縁部３３ａと傾斜壁１２８とに当接した状態で静止しないようになっている。
【００４７】
前記退避通路部１２７は、図６(ｂ)に示すように、当該退避通路部１２７の後側を画成する前記傾斜壁１２８と、当該退避通路部１２７の前側を画成して傾斜壁１２８と対向する壁との間の通路幅(前後寸法)Ｌ１が、第１通路部１２４や第２通路部１２５における前後方向の通路幅(実施例では、パチンコ球ＰＢの直径より僅かに大きくされている)と較べて、パチンコ球の直径以下の範囲で大きくなる(寸法Ｌ２だけ大きくなる)よう設けられている。すなわち、退避通路部１２７は、当該退避通路部１２７において傾斜壁１２８に当接する状態となったパチンコ球の一部のみを第１通路部１２４や第２通路部１２５より後側に退避し得るようにし、該パチンコ球の全体が第１通路部１２４や第２通路部１２５より後側に位置し得ないようにすることで、当該パチンコ球に対して第１通路部１２４や第２通路部１２５を流下するパチンコ球が接触するよう構成されている。これにより、傾斜壁１２８に当接した状態でパチンコ球が退避通路部１２７に滞留したとしても、後続のパチンコ球との接触により退避通路部１２７でのパチンコ球の滞留(球詰まり)を解消し得るようになっている。また、退避通路部１２７は、傾斜壁１２８と対向する壁との間の通路幅(前後寸法)Ｌ１が、パチンコ球の直径以上であって該パチンコ球の直径の２倍未満とされている。これにより、退避通路部１２７において複数のパチンコ球が前後方向に並んだ状態で傾斜壁１２８と対向する壁とに挟持されて滞留する不具合を防止できる。
【００４８】
なお、前記排出路形成部材１００における傾斜壁１２８の下側には、排出路形成部材１００を貫通する開口部１２９が形成され、当該開口部１２９を通じて退避通路部１２７の下流端部と通路外部と連通するよう構成されている。この開口部１２９は、上下寸法がパチンコ球(図７(ｂ)に符号ＰＢで示している)の直径より小さく形成されており、退避通路部１２７内のパチンコ球が開口部１２９を介して通路外部に排出されないようにしつつ、当該開口部１２９を通じて操作具等を挿し込んで普通入賞検出センサＳＥ１の検出部３３周辺や退避通路部１２７にある異物を取り除いたり、球詰まりを解消する作業を行い得るよう構成されている。
【００４９】
(実施例の作用)
次に、前述のように構成された実施例に係るパチンコ機１０の作用につき説明する。
【００５０】
中枠１２の前面側に設けられた操作ハンドル１６を遊技者が回転操作すると、球発射装置１８から発射されたパチンコ球が遊技盤２０に設けた案内レール２３により画成された遊技領域２２内に打ち出されて、流下方向を変更しながら遊技領域２２(第１の流下領域２２ａまたは第２の流下領域２２ｂ)を流下する。そして、遊技領域２２を流下するパチンコ球が第１始動入賞部５１の第１始動入賞口５１ａや第２始動入賞部５２の第２始動入賞口５２ａに入球することで、図柄表示装置１７での図柄組合せ演出が開始され、図柄組合せ演出の結果、図柄表示装置１７に所定の図柄組合せで演出図柄が表示されると、遊技者に有利な特別遊技が生起される。そして、特別遊技が生起されると、遊技盤２０に設けられた特別入賞部７１のシャッタ７１ｂが開放されると共に図柄表示装置１７において特図当り演出が行われる。
【００５１】
第１の流下領域２２ａを流下して複合入賞ユニット７０におけるサイド飾り構成体７４の上に至ったパチンコ球は、案内レール２３に沿って第２アウト口７４ａに入球するか、サイド飾り構成体７４の上を転動して、普通入賞部７２や始動入賞ユニット５０へ向けて流下する。また、特別遊技が生起されて特別入賞部７１のシャッタ７１ｂが開放されていれば、サイド飾り構成体７４の上面に開口する特別入賞口７１ａに入球することがある。サイド飾り構成体７４の上を転動して普通入賞部７２へ向けて流下したパチンコ球は、普通入賞部７２に設けられた第１普通入賞口７２ａや第２普通入賞口７２ｂに入球することがある。そして、第２アウト口７４ａに入球したパチンコ球は、サイド飾り構成体７４に設けられたアウト球誘導樋７８を通過して、排出路形成部材１００に設けられたアウト球排出路１２１から遊技盤２０の下方に排出される。また、特別入賞口７１ａに入球したパチンコ球は、サイド飾り構成体７４に設けられた特別入賞路７７を通過して、排出路形成部材１００に設けられた特別入賞球排出路１２２から遊技盤２０の下方に排出される。更に、第１普通入賞口７２ａまたは第２普通入賞口７２ｂに入球したパチンコ球は、普通入賞部７２に設けられた右受け通路７６ａまたは左受け通路７６ｂを通過して、排出路形成部材１００に設けられた普通入賞球排出路１２３から遊技盤２０の下方に排出される。
【００５２】
第１普通入賞口７２ａに入球して右受け通路７６ａを通過したパチンコ球は、普通入賞球排出路１２３において第１通路部１２４および合流通路部１２６を通過して、遊技盤２０の下方に排出される。また、第２普通入賞口７２ｂに入球して左受け通路７６ｂを通過したパチンコ球は、普通入賞球排出路１２３において第２通路部１２５および合流通路部１２６を通過して、遊技盤２０の下方に排出される。すなわち、第１普通入賞口７２ａおよび第２普通入賞口７２ｂに入球したパチンコ球は、何れも合流通路部１２６を介して排出路形成部材１００から排出される。また、第１普通入賞口７２ａおよび第２普通入賞口７２ｂに入球したパチンコ球は、合流通路部１２６の上流部(合流センサ保持部１４１の上側)において合流すると共に、当該合流通路部１２６の下流部を通過する過程で、当該合流通路部１２６の下流部に臨む普通入賞検出センサＳＥ１の検出部３３を通過することで、第１普通入賞口７２ａまたは第２普通入賞口７２ｂへのパチンコ球の入球が検出される。
【００５３】
ここで、実施例のパチンコ機１０は、パチンコ球が入球可能な普通入賞口７２ａ,７２ｂと、普通入賞口７２ａ,７２ｂに入球したパチンコ球を案内する普通入賞球排出路１２３を形成する排出路形成部材１００と、排出路形成部材１００に取り付けられた普通入賞検出センサＳＥ１とを備え、普通入賞口７２ａ,７２ｂに入球して普通入賞球排出路１２３を通過するパチンコ球を普通入賞検出センサＳＥ１の検出部３３に通過させて検出し得るよう構成されている。そして、排出路形成部材１００には、普通入賞球排出路１２３に検出部３３が臨む状態で普通入賞検出センサＳＥ１を保持する合流センサ保持部１４１が設けられると共に、普通入賞球排出路１２３における合流センサ保持部１４１の上流側に退避通路部１２７が設けられており、当該退避通路部１２７より上流側に位置する第１通路部１２４や第２通路部１２５の通路幅よりも当該退避通路部１２７の通路幅Ｌ１が大きくなるよう構成されている。すなわち、実施例のパチンコ機１０は、普通入賞球排出路１２３における合流センサ保持部１４１の上流側に退避通路部１２７を設けることで、検出部３３の配設位置の通路上流側においてパチンコ球の通路幅方向の動きの自由度が高まるため、普通入賞球排出路１２３でのパチンコ球の球詰まりを防止することができる。例えば、第２通路部１２５を流下するパチンコ球は、当該第２通路部１２５における湾曲状の下流部に沿って左方から退避通路部１２７に導かれた後に、合流通路部１２６で下方に導かれて、普通入賞検出センサＳＥ１の検出部３３により検出される。ここで、合流通路部１２６の下流部では、普通入賞検出センサＳＥ１の検出部３３の開口方向(上下方向)が、第２通路部１２５の下流部の通理方向(左右方向)と交差する関係にあることから、第２通路部１２５を通過して退避通路部１２７に導かれたパチンコ球が速やか普通入賞検出センサＳＥ１の検出部３３を通過しないことがあり、退避通路部１２７で一時的に滞留する間に第１通路部１２４や第２通路部１２５から流下してくる後続のパチンコ球と接触し易い。ここで、実施例では、パチンコ球が退避通路部１２７において後続のパチンコ球に上流側から押圧された場合に、通路幅方向に移動して後続のパチンコ球による押圧方向正面からずれる方向(後方)に変位できることで、合流通路部１２６での球詰まりが防止されている。
【００５４】
また、実施例のパチンコ機１０は、排出路形成部材１００における退避通路部１２７の下流端部に、排出路形成部材を貫通して退避通路部の内外を連通させる開口部１２９が形成されている。すなわち、実施例のパチンコ機１０は、退避通路部１２７の下流端部に開口部１２９を形成することにより、開口部１２９から操作具を挿し込んで検出部３３の配設位置や退避通路部１２７にある異物を取り除いたり球詰まりを解消する作業を行ったりすることができる。
【００５５】
また、実施例のパチンコ機１０は、排出路形成部材１００に、第１普通入賞口７２ａに入球したパチンコ球を案内する第１通路部１２４と、第２普通入賞口７２ｂに入球したパチンコ球を案内する第２通路部１２５とが、普通入賞検出センサＳＥ１の検出部３３より通路上流側(合流通路部１２６の上流部)で合流するよう設けられており、この合流位置に退避通路部１２７が設けられている。すなわち、実施例のパチンコ機１０は、球詰まりが発生し易い合流通路部１２６に退避通路部１２７を設けることで、普通入賞球排出路１２３で球詰まりが生じるのを効果的に防止することができる。ここで、第１通路部１２４と第２通路部１２５とが、上下に延在して左右に隣接するよう設けられると共に、第２通路部１２５の下流部(下流端部)が第１通路部１２４側に湾曲して当該第１通路部１２４と合流するよう設けられていることにより、排出路形成部材１００において第１通路部１２４第２通路部１２５をコンパクトに設けることができる。
【００５６】
また、実施例のパチンコ機１０は、排出路形成部材１００に、普通入賞検出センサＳＥ１の検出部３３が配設される位置に近づくにつれて退避通路部１２７の通路外側となる後方に偏倚するよう傾斜すると共に退避通路部１２７を画成する傾斜壁１２８が設けられ、退避通路部１２７における傾斜壁１２８と該傾斜壁１２８に対向する壁との間の通路幅Ｌ１が第１通路部１２４や第２通路部１２５の通路幅に対してパチンコ球の直径以下の範囲で大きくなるよう設けられて、退避通路部１２７において傾斜壁１２８に当接するパチンコ球に対して第１通路部１２４や第２通路部１２５を通過するパチンコ球が接触するよう構成されている。すなわち、実施例のパチンコ機１０は、退避通路部１２７を傾斜壁１２８で画成することにより、退避通路部１２７において傾斜壁１２８に当接したパチンコ球を検出部３３の配設位置に向かい易くすることができると共に、傾斜壁１２８によりパチンコ球が普通入賞球排出路１２３の上流側(第１通路部１２４側)へ移動するのを防ぐことができる。また、退避通路部１２７において傾斜壁１２８に当接するパチンコ球に対して第１通路部１２４や第２通路部１２５を通過するパチンコ球が接触することで退避通路部１２７での球詰まりを解消し得る。
【００５７】
また、実施例のパチンコ機１０は、普通入賞検出センサＳＥ１の検出部３３が、合流通路部１２６(普通入賞球排出路１２３)の通路方向に貫通するよう構成され、傾斜壁１２８が、普通入賞検出センサＳＥ１における検出部３３の開口縁と対向するよう設けられて、当該検出部３３の開口縁と傾斜壁１２８とに当接したパチンコ球の重心が検出部３３に向くよう構成されている。すなわち、実施例のパチンコ機１０は、検出部３３の後縁部と傾斜壁１２８とに支持されてパチンコ球が静止することがないから、当該パチンコ球が退避通路部１２７に滞留するのを防ぐことができる。また、傾斜壁１２８に当接した状態で退避通路部１２７に滞留したパチンコ球に対して後続のパチンコ球が接触し易くなり、退避通路部１２７でのパチンコ球の滞留(球詰まり)を容易に解消し得る。
【００５８】
また、実施例のパチンコ機１０は、退避通路部１２７を形成する傾斜壁１２８の内面が検出部３３(検出孔Ｈの開口内側)を向くように設けられている。従って、実施例のパチンコ機１０は、退避通路部１２７に流入したパチンコ球が傾斜壁１２８の内面に当たった際に、当該パチンコ球に対して検出部３３(検出孔３３Ｈの開口内側)へ向けた反力が作用して、退避通路部１２７での球詰まりの発生を防ぐことができる。
【００５９】
(変更例)
なお、遊技機としては、前述した実施例に示したものに限らず、例えば以下の如く種々の構成を採用可能である。
【００６０】
(１)  実施例では、第１の球通路(第１通路部)および第２の球通路(第２通路部)が合流する位置(合流通路部)に退避通路部を設けたが、３つ以上の球通路(通路部)が合流する位置(合流通路部)に退避通路部を設けるようにしてもよい。
(２)  実施例では、退避通路部の全体が合流通路部(第１の球通路および第２の球通路が合流する位置)に位置するように構成したが、第１の球通路(第１通路部)の通路途中から合流通路部に亘る範囲を退避通路部としてもよいし、第２の球通路(第２通路部)の通路途中から合流通路部に亘る範囲を退避通路部としてもよい。
(３)  実施例では、傾斜壁と、該傾斜壁に対向する壁との通路幅を、第１の球通路(第１通路部)や第２の球通路(第２通路部)の通路幅に対して遊技球の直径以下の範囲で大きくなるよう構成したが、遊技球の直径以上大きく構成してもよい。具体的には、図８に示すように、傾斜壁１２８および該傾斜壁１２８に対向する壁の間の通路幅Ｌ３と、第１通路部１２４や第２通路部１２５の通路幅との差分に相当する寸法Ｌ４を、パチンコ球ＰＢの直径より大きくする。
(４)  実施例では、傾斜壁と、該傾斜壁に対向する壁との通路幅を、遊技球の直径以上であって遊技球の直径の２倍以下となるよう構成したが、遊技球の直径の２倍以上に相当する寸法となるよう構成してもよい。具体的には、図８に示すように、傾斜壁１２８および該傾斜壁１２８に対向する壁の間の通路幅Ｌ３を、パチンコ球ＰＢの直径の２倍以上かつ該遊技球の直径の３倍以下とする。この場合には、パチンコ球ＰＢが通路幅方向に並んだ状態で退避通路部１２７の壁間に挟まるのを防止することができる。
(５)  なお、傾斜壁に接した状態の遊技球に対して後続の遊技球が接触せずに退避通路部を通過し得る構成とした場合(例えば、上記(３)および上記(４)のように構成する場合)には、傾斜壁に接した状態で遊技球が退避通路部に長い間滞留する可能性がある。このため、図８に示すように、傾斜壁１２８の下側部位(開口部１２９の開口下縁)から検出部３３の開口に向けて下方傾斜する傾斜面１４８を設けて、傾斜壁１２８に接した状態のパチンコ球ＰＢａが必ず傾斜面１４８上に位置するようにして、当該パチンコ球ＰＢａを傾斜面１４８により下流側(検出部３３側)に案内するよう構成してもよい。この場合には、後続のパチンコ球ＰＢｂにより傾斜壁１２８側に押されて傾斜壁１２８に当接した状態となったパチンコ球ＰＢａに対して、傾斜壁１２８から検出部３３側に向けて反力が作用すると共に、傾斜面１４８に支えられたパチンコ球ＰＢａに対して当該傾斜面１４８の傾斜方向への動力が作用する。このため、傾斜面１４８上のパチンコ球ＰＢａに後続のパチンコ球ＰＢｂが押されて、これらのパチンコ球ＰＢａ,ＰＢｂを検出部３３の検出孔３３Ｈに向かわせることができ、退避通路部１２７でのパチンコ球ＰＢの滞留を防ぐことができる。
(６)  実施例では、通路形成部材(排出路形成部材)に対して複数の球通路(第１の球通路および第２の球通路)を形成すると共に、複数の通路が合流する位置に退避通路部を設けたが、通路形成部材において複数の球通路を合流しないように設けると共に、複数の球通路のうち何れかに退避通路部を設けるようにしてもよい。
(７)  実施例では、通路形成部材(排出路形成部材)に、普通入賞球排出路と、特別入賞球排出路と、アウト球排出路とを設けたが、通路形成部材に１つの球通路のみを設けて、該１つの球通路に退避通路部を設けるようにしてもよい。
(８)  実施例では、通路形成部材(排出路形成部材)の下端部であって合流通路部の下流部にセンサ保持部(合流センサ保持部)を設け、合流センサ保持部に球検出センサ(普通入賞検出センサ)を保持するよう構成したが、合流センサ保持部より下流側に繋がる球通路を通路形成部材(排出路形成部材)に設けてもよい。
(９)  実施例では、第２の球通路(第２通路部)に設けたセンサ保持部(上流センサ保持部)には、遊技機の動作試験等にのみ球検出センサ(上流入賞検出センサ)を保持するようにしたが、遊技機の稼働中に常時制御基板に接続される球検出センサを第２の球通路に設けたセンサ保持部に保持するようにしてもよい。この場合には、第１の球通路を通過した遊技球は、合流通路部に設けたセンサ保持部に保持されている球検出センサのみで検出し、第２の球通路を通過した遊技球は、第２の球通路に設けたセンサ保持部に保持されている球検出センサと、合流通路部に設けたセンサ保持部に保持されている球検出センサとで検出するよう構成することができる。
【００６１】
本願には、例えば次のような技術的思想が含まれている。
【００６２】
(Ａ)  請求項３記載の構成を含む遊技機において、
前記第１の球通路(124)と前記第２の球通路(125)とは、上下に延在して左右に隣接するよう設けられると共に、前記第２の球通路(125)の下流端部が前記第１の球通路(124)側に湾曲して当該第１の球通路(124)と合流するよう設けられたことを要旨とする。
上記(Ａ)に係る構成によれば、通路形成部材において第１の球通路および第２の球通路をコンパクトに設けることができる。
(Ｂ)    請求項４記載の構成を含む遊技機において、
前記検出部(33)は、前記球通路(124)の通路方向に貫通するよう構成され、
前記傾斜壁(128)は、前記球検出センサ(SE1)における検出部(33)の開口縁と対向するよう設けられて、当該検出部(33)の開口縁と前記傾斜壁(128)とに当接した遊技球の重心が前記検出部(33)に向くよう構成されたことを要旨とする。
上記Ｂに係る構成によれば、球通路を通過した遊技球が検出部の開口縁と傾斜壁とに当接した状態で静止するのを防ぐことができ、退避通路部での球詰まりを防止し得る。
【符号の説明】
【００６３】
３３  検出部
７２ａ  第１普通入賞口(入球口、第１の入球口)
７２ｂ  第２普通入賞口(入球口、第２の入球口)
１００  排出路形成部材(通路形成部材)
１２３  普通入賞球排出路(球通路)
１２４  第１通路部(球通路、第１の球通路)
１２５  第２通路部(球通路、第２の球通路)
１２７  退避通路部
１２８  傾斜壁
１２９  開口部
１４１  合流センサ保持部(センサ保持部)
ＳＥ１  普通入賞検出センサ(球検出センサ)
【図１】
2017000633.tif 000003
【図２】
2017000633.tif 000004
【図３】
2017000633.tif 000005
【図４】
2017000633.tif 000006
【図５】
2017000633.tif 000007
【図６】
2017000633.tif 000008
【図７】
2017000633.tif 000009
【図８】
2017000633.tif 000010